(57)【特許請求の範囲】
【請求項１】
開閉式モニターの背後にサブパネルが配置され、さらにその背後に水平部の先端から垂直部が立ち上がり記録媒体再生メカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端から垂直部下部に亘る切り欠きに突入させたことを特徴とする車載用電子機器の操作釦取付け構造。
【請求項２】
開閉式モニターの背後にサブパネルが配置され、さらにその背後に水平部の先端から垂直部が立ち下がり記録媒体再生メカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端から垂直部上部に亘る切り欠きに突入させたことを特徴とする車載用電子機器の操作釦取付け構造。
【請求項３】
開閉式モニターの背後にサブパネルが配置され、さらにその背後に水平部の先端から垂直部が立ち上がり記録媒体再生メカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端近傍に設けた穴に突入させたことを特徴とする車載用電子機器の操作釦取付け構造。
【請求項４】
開閉式モニターの背後にサブパネルが配置され、さらにその背後に水平部の先端から垂直部が立ち下がり記録媒体再生メカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端近傍に設けた穴に突入させたことを特徴とする車載用電子機器の操作釦取付け構造。
【発明の詳細な説明】
【技術分野】
【０００１】
この発明は車載用電子機器に係わり、特に、その操作釦取付け構造に関する。
【背景技術】
【０００２】
従来の例えばＤＶＤ再生装置等の車載用電子機器の操作釦取付け構造の例を図４により説明する。図に示す車載用電子機器の筐体１は車両の機器取付面Ｐより奥行き方向制限Ａ（最大１６０ｍｍ）内にその長さが制限される。筐体１の前面にはサブパネル１０が取付けられサブパネル１０に開閉式モニター７が開閉自在に取付けられる。
【０００３】
開閉式モニター７は実線で示す閉位置と２点鎖線で示す開位置との間で手動または駆動機構により駆動される。サブパネル１０の開閉式モニター７の背後の位置に操作釦１１が配置される。操作釦１１はサブパネル１０の穴１０ａを挿通しており、操作釦１１の背後に配置されたプリント基板４に取付けられたスイッチ５の作動子により前方に付勢されている。なお、プリント基板４はサブパネル１０のボスに締着されている。ＤＶＤを回転駆動するディスクモータや光ピックアップ等の記録媒体再生メカニズム８を保持するメカニズムフレーム２はプリント基板４の背後に配置されている。
【０００４】
上記した従来の操作釦取付け構造において、操作釦１１は記録媒体再生メカニズム８の正面にディスク挿入口があるのでサブパネル１０の上部に配置できず、サブパネル１０の下部は開閉式モニター７が開いたときにも開閉式モニター７に隠れるのでサブパネル１０の下部にも配置できない。
【０００５】
そして、開閉式モニター７が実線で示す閉位置にあるときに開閉式モニター７と干渉しないようにするために、操作釦１１のサブパネル１０の表面からの突出寸法（図示のｄ）を大きくすることができなかった。そのため、操作釦１１への指の掛りが小さくなり操作性が悪いという問題があった。
【０００６】
実開平５−３４６２２号公報に提案された自照式釦は、プリント基板面から操作釦の表面までの高さを小さくしてしかも釦全体を光ムラなく照明するものである。しかしながら、この自照式釦を開閉式モニターの背後に配置する場合は、開閉式モニターとの干渉を防ぐために開閉式モニターの背後に配置されるサブパネルからの突出量を大きくすることができず、操作性が悪いという問題が発生する。
【特許文献１】実開平５−３４６２２号公報、段落００１１〜段落００１７、図１〜図３
【発明の開示】
【発明が解決しようとする課題】
【０００７】
この発明は上記した点に鑑みてなされたものであって、その目的とするところは、開閉式モニターの背後に配置されるサブパネルに設けられる操作釦のサブパネルからの突出量を大きくすることにより操作性が改善される車載用電子機器の操作釦取付け構造を提供することにある。
【課題を解決するための手段】
【０００８】
この発明の車載用電子機器の操作釦取付け構造は、開閉式モニターの背後にサブパネルが配置され、さらにその背後に水平部の先端から垂直部が立ち上がりメカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端から垂直部下部に亘る切り欠きに突入させたものである。
【０００９】
また、この発明の車載用電子機器の操作釦取付け構造は、開閉式モニターの背後にサブパネルが配置され、さらにその背後に水平部の先端から垂直部が立ち下がりメカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端から垂直部上部に亘る切り欠きに突入させたものである。
【００１０】
また、この発明の車載用電子機器の操作釦取付け構造は、開閉式モニターの背後にサブパネルが配置され、さらにその背後に水平部の先端から垂直部が立ち上がりメカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端近傍に設けた穴に突入させたものである。
【００１１】
さらに、この発明の車載用電子機器の操作釦取付け構造は、開閉式モニターの背後にサブパネルが配置され、さらにその背後に水平部の先端から垂直部が立ち下がりメカニズムを保持するメカニズムフレームが配置され、前記サブパネルとメカニズムフレームの間に操作釦により操作されるスイッチが取り付けられるプリント基板が配置される操作釦取付け構造において、前記サブパネルに凹部を設け前記凹部の底面に前記操作釦を挿通させる穴を設けると共に前記プリント基板を前記メカニズムフレームの水平部先端近傍に設けた穴に突入させたものである。
【発明の効果】
【００１２】
この発明の車載用電子機器の操作釦取付け構造によれば、開閉式モニターの背後に操作釦を配置しても操作釦への指の掛りを大きくすることができ操作性が良くなる。
【発明を実施するための最良の形態】
【００１３】
以下この発明を実施するための最良の形態を実施例に即して説明する。
【実施例１】
【００１４】
図１はこの発明の実施例１である車載用電子機器の操作釦取付け構造を示す断面図である。図に示す車載用電子機器の筐体１は車両の機器取付面Ｐより奥行き方向制限Ａ（最大１６０ｍｍ）内にその長さが制限される。筐体１の前面にはサブパネル３が取付けられサブパネル３に開閉式モニター７が開閉自在に取付けられる。
【００１５】
開閉式モニター７は実線で示す閉位置と２点鎖線で示す開位置との間で手動または駆動機構により駆動される。サブパネル３の開閉式モニター７の背後の位置に操作釦６が配置される。すなわち、サブパネル３には凹部３ａが形成されており、凹部３ａの底部に設けられた穴３ｂを操作釦６が挿通している。
【００１６】
操作釦６はその背後に配置されたプリント基板４に取付けられたスイッチ５の作動子により前方に付勢されている。なお、プリント基板４はサブパネル３のボスに締着されている。ＤＶＤを回転駆動するディスクモータや光ピックアップ等の記録媒体再生メカニズム８を保持するメカニズムフレーム２はプリント基板４の背後に配置されている。
【００１７】
このように操作釦６の凹部３ａに取り付けられているので、開閉式モニター７と干渉することなく、操作釦６のサブパネル３の表面からの突出寸法（図示のＤ）を大きくすることができる。従って、操作釦６への指の掛りが大きくなり操作性が良くなる。
【００１８】
操作釦６は従来のものより後方に配置され、プリント基板４が後方の位置となるが、メカニズムフレーム２の水平部先端から垂直部下部に亘る切り欠き２ａにプリント基板４を突入させているので、車両の機器取付面Ｐより奥行き方向制限Ａ内にその長さが制限された筐体１に従来のものと同じ長さのメカニズムフレーム２を収容できる。
【００１９】
この例ではメカニズムフレーム２の垂直部に亘る切り欠き２ａにプリント基板４を突入させるので、プリント基板４の組み付けられたサブパネル３を筐体１の正面から押し込むことができ、組み立て性がよい。なお、組み立てられた状態でプリント基板４と切り欠き２ａの端面を当接させることによりプリント基板４がメカニズムフレーム２に支えられ、操作釦６を押したときにプリント基板４に加わる力に対する剛性が高められる。
【実施例２】
【００２０】
図２はこの発明の実施例２である車載用電子機器の操作釦取付け構造を示す断面図である。この例では、メカニズムフレーム２の水平部先端から垂直部が下方に延びており、水平部先端から垂直部上部に亘る切り欠き２ａにプリント基板４を突入させている。他の構成は実施例１と同様で実施例１と同様の部材には同じ符号が付されており、その詳細な説明を省略する。この例でも実施例１と同様の効果が得られる。
【実施例３】
【００２１】
図３（ａ）はこの発明の実施例３である車載用電子機器の操作釦取付け構造を示す断面図、図３（ｂ）は図３（ａ）のＢ部を示す斜視図である。この例では、メカニズムフレーム２の水平部先端部に穴２ｂが形成されており、この穴２ｂににプリント基板４を突入させている。他の構成は実施例１と同様で実施例１と同様の部材には同じ符号が付されており、その詳細な説明を省略する。この例では穴２ｂによりプリント基板４を前方向および後ろ方向の双方向に支えることができる。操作釦６への指の掛りが大きくなり操作性が良くなることは実施例１と同様である。
【００２２】
実施例は以上のように構成されているが発明はこれに限られず、例えば、水平部先端から垂直部が下方に延びるメカニズムフレームの水平部先端近傍に穴を設けこの穴にプリント基板を突入させてもよい。
【００２３】
また、この発明をＤＶＤ再生装置以外のＣＤ再生装置等記録媒体再生メカニズムを有する他の車載用電子機器に適用することもできる。
【図面の簡単な説明】
【００２４】
【図１】この発明の実施例１である車載用電子機器の操作釦取付け構造を示す断面図である。
【図２】この発明の実施例２である車載用電子機器の操作釦取付け構造を示す断面図である。
【図３】図３（ａ）はこの発明の実施例３である車載用電子機器の操作釦取付け構造を示す断面図、図３（ｂ）は図３（ａ）のＢ部を示す斜視図である。
【図４】従来の車載用電子機器の操作釦取付け構造の例を示す断面図である。
【符号の説明】
【００２５】
１  筐体
２  メカニズムフレーム、２ａ  切り欠き、２ｂ  穴
３  サブパネル、３ａ  凹部、３ｂ  穴
４  プリント基板
５  スイッチ
６  操作釦
７  開閉式モニター
８  記録媒体再生メカニズム
１０  サブパネル、１０ａ  穴
１１  操作釦
【図１】
0004655922.tif 000002
【図２】
0004655922.tif 000003
【図３】
0004655922.tif 000004
【図４】
0004655922.tif 000005